(57)【要約】【課題】シャッターの開閉を支持する軸部分に尿がかかりにくいトイレ装置を提供することを目的とする。【解決手段】ボウルと、上面に形成され前記ボウルに連通する凹部と、前記ボウルと前記凹部とを連通する連通部と、を有する便器と、前記ボウルの前方に向かって延設された延設部を有するケーシングと、少なくとも一部が前記凹部に配設され、前記連通部を貫通して前記ボウルの内外に進退する洗浄ノズルと、前記ケーシングに対して回動自在に軸支され、前記洗浄ノズルが進出するときに前記連通部を開き、前記洗浄ノズルが後退するときに前記連通部を閉じるシャッターと、を備え、前記延設部は、前記シャッターの上方を覆うように設けられたことを特徴とするトイレ装置が提供される。【選択図】図２
2010116730.tif 000002
【特許請求の範囲】
【請求項１】
ボウルと、上面に形成され前記ボウルに連通する凹部と、前記ボウルと前記凹部とを連通する連通部と、を有する便器と、
前記ボウルの前方に向かって延設された延設部を有するケーシングと、
少なくとも一部が前記凹部に配設され、前記連通部を貫通して前記ボウルの内外に進退する洗浄ノズルと、
前記ケーシングに対して回動自在に軸支され、前記洗浄ノズルが進出するときに前記連通部を開き、前記洗浄ノズルが後退するときに前記連通部を閉じるシャッターと、
を備え、
前記延設部は、前記シャッターの上方を覆うように設けられたことを特徴とするトイレ装置。
【請求項２】
前記ケーシング及び前記シャッターのいずれか一方は、軸を保持する軸受部を有し、
前記ケーシング及び前記シャッターのいずれか他方は、前記軸受部に保持された前記軸を支持する軸支部を有し、
前記軸受部および前記軸支部は、前記延設部よりも下方に設けられ、前記延設部により上方を覆われたことを特徴とする請求項１記載のトイレ装置。
【請求項３】
前記シャッターの前記ボウル側の表面は、鉛直面と、前記鉛直面の下に設けられ下方に向かって後退するように傾斜した傾斜面と、を有し、
前記軸支部は、前記鉛直面の裏側に設けられたことを特徴とする請求項２記載のトイレ装置。
【請求項４】
前記便器は、前記ボウルの内壁面に接続された凹段部をさらに有することを特徴とする請求項１〜３のいずれか１つに記載のトイレ装置。
【請求項５】
前記シャッターは、前記連通部に対向する裏面に、前記連通部に向かって延在した突出壁を有することを特徴とする請求項１〜４のいずれか１つに記載のトイレ装置。
【発明の詳細な説明】
【技術分野】
【０００１】
本発明の態様は、一般的に、トイレ装置に関し、具体的には洋式腰掛便器に腰かけた使用者の「おしり」などを水で洗浄可能としたトイレ装置に関する。
【背景技術】
【０００２】
洗浄水を噴射する洗浄ノズルを進退自在に収納し、洋式腰掛便器（以下、単に「便器」と称する）の便座に座った使用者の「おしり」などを洗浄する機能（局部洗浄機能）を設けたトイレ装置がある。このようなトイレ装置の中には、局部洗浄機能などの機能部を内蔵し、便器よりも上方に設けられたケーシングの高さをより低く抑えるために、洗浄ノズルを便器に沈み込ませたトイレ装置がある（特許文献１）。特許文献１に記載された局部洗浄便器では、便鉢内へ臨む便器本体の後部上面に、便鉢内空間に向かって下り勾配の凹溝部を設けて、その凹溝部に洗浄ノズルの一部を収納配置している。
【０００３】
しかしながら、特許文献１に記載された局部洗浄便器では、男性が立った姿勢で排尿した小水が凹溝部に入り込むおそれがある。凹溝部に小水が入り込むと、その凹溝部を掃除することは困難であるため、臭気が発生するおそれがある。そこで、人体の局部を洗う洗浄手段を内装する本体の前部に設けられた開口部と、便器内と、を遮断するためのシャッター部を設けた便座装置がある（特許文献２）。特許文献２に記載された便座装置によれば、本体の前部に設けられた開口部の内部に尿等の汚水が進入することをシャッター部により防止できる。
【０００４】
しかしながら、特許文献２に記載された便座装置ではシャッター部は、本体の前部に設けられた開口部の位置に設けられているため、立った姿勢の使用者（主として男性）に対して露出し、見えやすい位置に設けられている。そのため、小水がシャッター部にかかるおそれがある。小水が、シャッター部の開閉を支持する軸部分にかかると、その軸部分を掃除することは困難であるため、臭気が発生するおそれがある。また、小水が軸部分にかかったことで尿石が生ずると、シャッター部が開閉できないおそれがある。
【０００５】
一方、特許文献１に記載された局部洗浄便器にシャッターを設けたとすると、そのシャッターの少なくとも一部は、便器の便鉢の内面に設けられることになる。そのため、小水がシャッターあるいはその軸部分によりかかりやすい。したがって、前述した場合と同様に、臭気がより発生しやすくなったり、シャッター部がより開閉できないおそれがある。
【特許文献１】実公平２−１３５８９号公報
【特許文献２】特開２００５−１７１５４１号公報
【発明の開示】
【発明が解決しようとする課題】
【０００６】
本発明は、かかる課題の認識に基づいてなされたものであり、シャッターの開閉を支持する軸部分に尿がかかりにくいトイレ装置を提供することを目的とする。
【課題を解決するための手段】
【０００７】
第１の発明は、ボウルと、上面に形成され前記ボウルに連通する凹部と、前記ボウルと前記凹部とを連通する連通部と、を有する便器と、前記ボウルの前方に向かって延設された延設部を有するケーシングと、少なくとも一部が前記凹部に配設され、前記連通部を貫通して前記ボウルの内外に進退する洗浄ノズルと、前記ケーシングに対して回動自在に軸支され、前記洗浄ノズルが進出するときに前記連通部を開き、前記洗浄ノズルが後退するときに前記連通部を閉じるシャッターと、を備え、前記延設部は、前記シャッターの上方を覆うように設けられたことを特徴とするトイレ装置である。  
このトイレ装置によれば、シャッターは、ケーシングの延設部の下方に配設され、その延設部により上方を覆われているため、使用者が排尿した小水は、シャッターにはかかりにくい。そのため、シャッターを軸支した部分への尿の付着を抑制できるため、異臭の発生や、尿石の発生を抑制することができる。また、これにより、シャッターが尿石により開閉不能になるなどの不具合を抑制することができる。
【０００８】
また、第２の発明は、第１の発明において、前記ケーシング及び前記シャッターのいずれか一方は、軸を保持する軸受部を有し、前記ケーシング及び前記シャッターのいずれか他方は、前記軸受部に保持された前記軸を支持する軸支部を有し、前記軸受部および前記軸支部は、前記延設部よりも下方に設けられ、前記延設部により上方を覆われたことを特徴とするトイレ装置である。  
このトイレ装置によれば、軸受部および軸支部は、ケーシングの延設部の真下に配設される。そのため、使用者が排尿した小水は、軸受部や軸支部や軸にはかかりにくい。したがって、異臭の発生や、尿石の発生を抑制することができる。また、これにより、シャッターが尿石により開閉不能になるなどの不具合を抑制することができる。
【０００９】
また、第３の発明は、第２の発明において、前記シャッターの前記ボウル側の表面は、鉛直面と、前記鉛直面の下に設けられ下方に向かって後退するように傾斜した傾斜面と、を有し、前記軸支部は、前記鉛直面の裏側に設けられたれたことを特徴とするトイレ装置である。  
このトイレ装置によれば、小水がボウルの内壁面で跳ねてシャッターの傾斜面に付着しても、その傾斜面を駆け上がることはない。また、小水がボウルの内壁面で跳ねてシャッターの鉛直面に付着しても、その小水は、下方に向かって速やかに流れていく。そのため、使用者が排尿した小水は、軸受部や軸支部や軸にはかかりにくい。
【００１０】
また、第４の発明は、第１〜第３のいずれか１つの発明において、前記便器は、前記ボウルの内壁面に接続された凹段部をさらに有することを特徴とするトイレ装置である。  
このトイレ装置によれば、ボウル側のシャッターの表面と、ボウルの内壁面と、の段差が抑えられる。そのため、ボウル内壁面１０１ａやシャッター２３０の表面を掃除しやすい。
【００１１】
また、第５の発明は、第１〜第４のいずれか１つの発明において、前記シャッターは、前記連通部に対向する裏面に、前記連通部に向かって延在した突出壁を有することを特徴とするトイレ装置である。  
このトイレ装置によれば、小水が、シャッターの周囲から開口部側へ進入することを防止することができる。そのため、軸受部や軸支部や軸への尿の付着を抑制することができる。また、洗浄ノズルへの尿の付着を抑制することができる。そのため、洗浄ノズルの清潔性を確保することができる。
【発明の効果】
【００１２】
本発明の態様によれば、シャッターの開閉を支持する軸部分に尿がかかりにくいトイレ装置が提供される。
【発明を実施するための最良の形態】
【００１３】
以下、本発明の実施の形態について図面を参照しつつ説明する。なお、各図面中、同様の構成要素には同一の符号を付して詳細な説明は適宜省略する。  
図１は、本発明の実施の形態にかかるトイレ装置を表した斜視模式図である。  
なお、図１（ａ）は、洗浄ノズルがケーシング内に収納された状態を表す斜視模式図であり、図１（ｂ）は、洗浄ノズルがケーシング内から進出した状態を表す斜視模式図である。
【００１４】
本実施形態のトイレ装置は、洋式腰掛便器（以下、単に「便器」と称す）１００と、その後方上部に設けられたケーシング２００と、を備える。ケーシング２００の内部には、例えば、図示しない便座に座った使用者の「おしり」などの洗浄を実現する局部洗浄機能部などが内蔵されている。なお、図示しない便座および便蓋は、ケーシング２００に設けられた軸支部２１１、２１３において、ケーシング２００に対して開閉自在にそれぞれ軸支されている。
【００１５】
ケーシング２００の上部には、使用者が便座に座ったことを検知する着座センサ２１５が設けられている。着座センサ２１５が便座に座った使用者を検知している場合において、使用者が図示しないスイッチを操作すると、図１（ｂ）に表したように、洗浄ノズル２４１を便器１００のボウル１０１内に進出させることができる。洗浄ノズル２４１は、後に詳述するように、ケーシング２００の開口部を貫通して進出する。このとき、洗浄ノズル２４１は、ケーシング２００の開口部を開閉するシャッター２３０を押し上げてボウル１０１内に進出することができる。また、洗浄ノズル２４１の先端部には、ひとつあるいは複数の吐水口２４３が設けられている。
【００１６】
続いて、洗浄ノズル２４１は、ボウル１０１内に進出した状態において、その先端部に設けられた吐水口２４３から水を噴射して、便座に座った使用者の「おしり」などを洗浄することができる。なお、本願明細書において「水」という場合には、冷水のみならず、加熱されたお湯も含むものとする。
【００１７】
シャッター２３０は、ケーシング２００に対して回動自在に軸支されており、ばねなどの付勢部材によりケーシング２００の開口部を閉じる方向に付勢されている。そのため、シャッター２３０は、進出する洗浄ノズル２４１から力を受けることにより、図１（ｂ）に表したように、上部を中心として回動し、ケーシング２００の開口部を開けることができる。一方、洗浄ノズル２４１が後退した場合には、シャッター２３０は、洗浄ノズル２４１から力を受けなくなるため、付勢力により回動してケーシング２００の開口部を閉じることができる。
【００１８】
ケーシング２００は、ボウル１０１の前方に向かって延設された延設部２１７を有する。延設部２１７の少なくとも一部は、ボウル上面１０５に対して垂直に見た場合に、ボウル１０１内に進入している。そのため、シャッター２３０は、延設部２１７の下方に配設されている。つまり、シャッター２３０は、閉じた状態において、上方を延設部２１７により覆われている。
【００１９】
なお、ケーシング２００の内部には、例えば、便器１００のボウル１０１内の空気を吸い込み、フィルタや触媒などを介して臭気成分を低減させる脱臭機能部や、便座に座った使用者の「おしり」などに向けて温風を吹き付けて乾燥させる温風乾燥機能部や、トイレ室内に温風を吹き出してトイレ室を暖房する室内暖房機能部などが内蔵されていてもよい。但し、脱臭機能部や温風乾燥機能部や室内暖房機能部などは、必ずしも設けなくてもよい。
【００２０】
図２は、本実施形態のシャッター近傍を拡大して眺めた断面模式図である。  
また、図３は、本実施形態の便器を表す斜視模式図である。  
なお、図２は、洗浄ノズルがケーシングに収納された状態を表しており、図１（ａ）に表したＡ−Ａ断面図に相当する。
【００２１】
ケーシング２００は、ケースカバー２１０と、ケースプレート２２０と、を有する。局部洗浄機能部などの機器は、ケースプレート２２０に設置され、その上方をケースカバー２１０により覆われている。ケースプレート２２０は、下方に向かって凹形状に形成された凹設部２２３を有する。凹設部２２３は、ケースプレート２２０の一部に設けられ、後方から前方に向かって低くなるように傾斜している。そして、凹設部２２３の前端部には、洗浄ノズル２４１が貫通可能な開口部２２３ｂが設けられている。つまり、洗浄ノズル２４１は、この開口部２２３ｂを貫通して進出または後退する。
【００２２】
一方、便器１００は、図３に表したように、ボウル上面１０５において下方に向かって凹形状に形成された凹部１０３を有する。凹部１０３は、その前端にボウル１０１と連通する連通部１０３ｂが形成され、ケースプレート２２０に設けられた凹設部２２３と同様に、その後端部１０３ａから前端部（連通部）１０３ｂに向かって低くなるように傾斜している。そして、ケースプレート２２０は、凹設部２２３が便器１００の凹部１０３に格納された状態で、便器１００のボウル上面１０５に載置されている。そのため、洗浄ノズル２４１が開口部２２３ｂを貫通して進退することは、洗浄ノズル２４１が連通部１０３ｂを貫通して進退することと同等である。
【００２３】
ケースプレート２２０には、凹設部２２３の開口部２２３ｂを開閉するシャッター２３０が取り付けられている。シャッター２３０は、連通部１０３ｂおよび開口部２２３ｂを覆うようにして設けられ、ケースプレート２２０に対して回動自在に軸支されている。より具体的には、シャッター２３０は、ケースプレート２２０の軸受部２２７に保持された軸２２８を中心として、ケースプレート２２０に対して回動自在に軸支されている。
【００２４】
また、シャッター２３０は、閉じた状態において連通部１０３ｂおよび開口部２２３ｂに向かって延在した突出壁２３１を有する。すなわち、シャッター２３０は、連通部１０３ｂおよび開口部２２３ｂに対向する裏面に、突出壁２３１を有する。この突出壁２３１は、シャッター２３０が閉じている状態において、部分的に開口部２２３ｂに当接している。すなわち、突出壁２３１が開口部２２３ｂに部分的に当接することにより、シャッター２３０の閉止位置は決定される。
【００２５】
ケースカバー２１０は、ボウル１０１の前方に向かって延設された延設部２１７を有する。延設部２１７の少なくとも一部は、図２に表したように、ボウル１０１内に進入している。そのため、シャッター２３０は、延設部２１７の下方に配設されている。つまり、シャッター２３０は、閉じた状態において、延設部２１７により上方を覆われている。言い換えれば、シャッター２３０は、延設部２１７の前面２１７ａよりも後退した位置に設けられている。そのため、延設部２１７は、閉じた状態のシャッター２３０の上方に覆い被さっている。
【００２６】
これに伴い、ケースプレート２２０の軸受部２２７と、軸受部２２７に保持された軸２２８と、シャッター２３０に設けられた軸支部２３７（図４参照）と、は延設部２１７の下方に配設され、その延設部２１７により上方を覆われている。言い換えれば、軸受部２２７と軸２２８と軸支部２３７とは、延設部２１７の前面２１７ａよりも後退した位置に設けられている。そのため、延設部２１７は、軸受部２２７と軸２２８と軸支部２３７との上方に覆い被さっている。
【００２７】
したがって、男性が立った姿勢で排尿した小水は、シャッター２３０にはかかりにくい。つまり、排尿された小水がシャッター２３０に向かって進行したとしても、シャッター２３０は延設部２１７により上方を覆われているため、小水は延設部２１７により進行を妨げられる。そのため、排尿された小水は、シャッター２３０に直接的にはかかりにくい。なお、シャッター２３０の上部は、延設部２１７の真下に配設されているため、シャッター２３０の下部よりも直接的には被尿しにくい。
【００２８】
また、軸受部２２７と軸２２８と軸支部２３７とは、図２に表したように、開口部２２３ｂの上部に設けられている。つまり、シャッター２３０は、その上部において、回動自在に軸支されている。そのため、軸受部２２７と軸２２８と軸支部２３７とは、延設部２１７の真下に配設されている。したがって、軸受部２２７と軸２２８と軸支部２３７とは、シャッター２３０の下部よりも直接的には被尿しにくい。
【００２９】
さらに、シャッター２３０は、図２に表したように、ボウル１０１側の表面において鉛直面２３３と傾斜面２３５とを有する。鉛直面２３３は、シャッター２３０の上部に設けられている。一方、傾斜面２３５は、シャッター２３０の下部に設けられ、上部から下部に向かって後退するように傾斜している。
【００３０】
これによれば、小水がボウル１０１の内壁面で跳ねてシャッター２３０の傾斜面２３５に付着しても、その傾斜面２３５を駆け上がることはない。また、小水がボウル１０１の内壁面で跳ねてシャッター２３０の鉛直面２３３に付着しても、その小水は、下方に向かって速やかに流れていく。そのため、小水がボウル１０１の内壁面で跳ねてシャッター２３０に付着した場合であっても、軸受部２２７や軸２２８や軸支部２３７に向かって流れるおそれはほとんどない。
【００３１】
これによれば、本実施形態にかかるトイレ装置は、シャッター２３０を軸支する軸２２８への尿の付着を抑制できるため、異臭の発生や、尿石の発生を抑制できる。そのため、本実施形態にかかるトイレ装置は、シャッター２３０が尿石により開閉不能になるなどの不具合を抑制できる。
【００３２】
なお、ケースプレート２２０の凹設部２２３と、便器１００の凹部１０３と、の間には、弾性を有する弾性体１０７が設けられている。この弾性体１０７は、凹設部２２３の開口部２２３ｂ近傍を支持するとともに、ケースプレート２２０の凹設部２２３と、便器１００の凹部１０３と、の間の液密性を確保している。つまり、弾性体１０７は、ケースプレート２２０の凹設部２２３と、便器１００の凹部１０３と、の間に小水などが進入することを防止している。なお、この弾性体１０７は、ケースプレート２２０の前縁に沿って、便器１００の上面１０５にも配置され、ケースプレート２２０と便器１００の上面１０５との間の液密性を確保し、小水などが浸入することを防止している。
【００３３】
また、図示した具体例においては、ケースプレート２２０に軸受部２２７が設けられ、シャッター２３０に軸支部２３７が設けられているが、本発明はこれには限定されず、ケースプレートに軸支部を設け、シャッターに軸受部を設けてもよい。
【００３４】
図４は、シャッターとケースプレートとの取付構造を表す斜視模式図である。  
なお、図４（ａ）は、シャッターがケースプレートに取り付けられる前の状態を表す斜視模式図であり、図４（ｂ）は、シャッターがケースプレートに取り付けられた後の状態を表す斜視模式図である。
【００３５】
ケースプレート２２０は、図２に関して前述したように、開口部２２３ｂの上方に、軸受部２２７を有する。そして、軸２２８は、この軸受部２２７により保持されている。また、軸２２８は、一端部において鉤形に屈曲され、ケースプレート２２０の爪部２２６に引っ掛けられて保持されている。軸２２８には、シャッター２３０を付勢する付勢部材２２９が取り付けられている。この付勢部材２２９としては、例えば、いわゆる「ねじりコイルばね」などが挙げられる。
【００３６】
一方、シャッター２３０は、ボウル１０１とは反対側の表面の上部、すなわち鉛直面２３３の裏側に軸支部２３７を有する。この軸支部２３７は、ケースプレート２２０に取り付けられた軸２２８を受ける軸穴部を有する。また、軸支部２３７の少なくとも一部には、軸２２８を軸穴部に無理入れ可能な切り欠き部が設けられている。そのため、図４（ａ）に表した状態、すなわちケースプレート２２０の軸受部２２７に軸２２８が取り付けられた状態から、軸２２８をシャッター２３０の軸支部２３７に無理入れさせることができる。これにより、軸支部２３７は、軸受部２２７に保持された軸２２８を支持し、シャッター２３０は、軸２２８を中心としてケースプレート２２０に対して回動自在に軸支される。
【００３７】
このとき、シャッター２３０に設けられた突起部２３９は、付勢部材２２９の腕部２２９ａに当接している。そして、この突起部２３９は、シャッター２３０の動作とともに回動し、腕部２２９ａからの負荷を受ける。つまり、シャッター２３０が開く場合には、突起部２３９は腕部２２９ａからの負荷に逆らって回動する。そのため、シャッター２３０は、付勢部材２２９により閉じる方向に付勢されている。
【００３８】
したがって、シャッター２３０は、自ら開くことはできず、ボウル１０１に進出する洗浄ノズル２４１から力を受けることにより開く。つまり、シャッター２３０は、洗浄ノズル２４１から押されることにより、軸２２８を中心として開く。一方、洗浄ノズル２４１が後退してケーシング２００内に収納されると、シャッター２３０は洗浄ノズル２４１から力を受けないため、付勢部材２２９からの付勢力により閉じる。つまり、シャッター２３０は、洗浄ノズル２４１が進出していない状態では、図１（ａ）に表したように閉じた状態となっている。これによれば、シャッター２３０は、使用者が排尿した小水あるいは水跳ねした封水などが開口部２２３ｂから洗浄ノズル２４１側に進入することを防止できる。
【００３９】
図５は、本実施形態のシャッター近傍を拡大して眺めた断面模式図である。  
なお、図５は、洗浄ノズルがケーシングから進出した状態を表しており、図１（ｂ）に表したＢ−Ｂ断面図に相当する。
【００４０】
洗浄ノズル２４１を有するノズルユニット２４０は、一端部にノズル洗浄室２４５を有する。ノズル洗浄室２４５は、その内部に設けられた吐水口から水を噴射することにより、洗浄ノズル２４１の外周表面を洗浄することができる。また、ノズル洗浄室２４５は、洗浄ノズル２４１の進退時において、外周表面の洗浄を行う洗浄水が飛散することを抑制できる。洗浄ノズル２４１は、このノズル洗浄室２４５を貫通して進出する。このとき、洗浄ノズル２４１は、図５に表したように、シャッター２３０を後方から押してボウル１０１内に進出する。
【００４１】
そして、洗浄ノズル２４１は、ボウル１０１内に進出した状態において、吐水口２４３から水を噴射して、便座に座った使用者の「おしり」などを洗浄することができる。ここで、吐水口２４３から噴射された洗浄水は、「おしり」などで水跳ねしたり、ボウル１０１の内壁面で水跳ねする場合がある。そのため、汚水や汚物がシャッター２３０に向かって飛散する場合があるが、軸受部２２７と軸２２８と軸支部２３７とは、延設部２１７の真下に配設されているため、汚水や汚物は、軸受部２２７や軸２２８や軸支部２３７にはかかりにくい。また、シャッター２３０が開いた状態では、ボウル１０１内から軸受部２２７や軸２２８や軸支部２３７へ向かう進路は狭くなっているため、汚水や汚物は、軸受部２２７や軸２２８や軸支部２３７にはよりかかりにくい。
【００４２】
これによれば、本実施形態にかかるトイレ装置は、シャッター２３０を軸支する軸２２８への汚水や汚物の付着を抑制できるため、異臭の発生や、尿石の発生を抑制できる。そのため、本実施形態にかかるトイレ装置は、シャッター２３０が尿石や汚物により開閉不能になるなどの不具合を抑制できる。
【００４３】
図６は、本実施形態にかかるトイレ装置を側方から眺めた断面模式図である。  
なお、図６は、図１（ａ）に表したＡ−Ａ断面図に相当する。  
図２に関して前述したように、シャッター２３０は、閉じた状態において、延設部２１７の下方に配設され、その延設部２１７により上方を覆われている。そのため、便器１００の前に立った使用者は、立った姿勢のままではシャッター２３０をほとんど見ることかできない。
【００４４】
そのため、本実施形態にかかるトイレ装置は、見栄えがよく、意匠性を向上させることができる。また、立った姿勢で排尿する男性は、シャッター２３０を見ることができないため、小水を故意にシャッター２３０にかけようとはほとんど思わない。つまり、シャッター２３０が排尿中に使用者の視線に入ると、その使用者は、小水を故意にシャッター２３０にかけようと思いつく場合もあるが、本実施形態にかかるトイレ装置では、そのように思いつくことはほとんどない。そのため、小水が故意にシャッター２３０にかけられるおそれは少ない。
【００４５】
また、図２に関して前述したように、軸受部２２７と軸２２８と軸支部２３７とは、延設部２１７の真下に配設されている。そのため、小水を故意に軸受部２２７や軸２２８や軸支部２３７にかけようとした場合には、図６に表した二点鎖線Ｃに略沿うように排尿する必要がある。但し、これは、ほとんど不可能である。したがって、小水が故意に軸受部２２７と軸２２８と軸支部２３７とにかけられるおそれは少ない。
【００４６】
図７は、本実施形態のシャッター近傍を拡大して眺めた斜視模式図である。  
また、図８は、本実施形態のシャッター近傍を前方から眺めた平面模式図である。  
また、図９は、本実施形態のシャッター近傍を上方から眺めた平面模式図である。  
なお、図９は、図８に表したＤ−Ｄ断面図に相当する。
【００４７】
便器１００は、図３に表したように、ボウル内壁面１０１ａに接続された凹段部１０３ｃを有する。そして、シャッター２３０は、凹段部１０３ｃに収まるように設けられている。そのため、ボウル１０１側のシャッター２３０の表面は、図７および図９に表したように、ボウル内壁面１０１ａと略同一面となっている。つまり、ボウル１０１側のシャッター２３０の表面と、ボウル内壁面１０１ａと、の段差が抑えられている。これによれば、ボウル内壁面１０１ａやシャッター２３０の表面を掃除しやすいなどといった効果を得ることができる。
【００４８】
また、シャッター２３０は、凹段部１０３ｃに収まるように設けられているため、図７および図８に表したように、シャッター２３０および便器１００には一体感が得られる。そのため、本実施形態にかかるトイレ装置は、見栄えがよく、意匠性を向上させることができる。
【００４９】
図１０は、本実施形態のシャッターの突出壁を拡大して眺めた断面模式図である。  
なお、図１０は、図９に表した範囲Ｅの拡大図に相当する。  
シャッター２３０は、図２に関して前述したように、閉じた状態において開口部２２３ｂに向かって延在した突出壁２３１を有する。この突出壁２３１の外周面２３１ａは、ケースプレート２２０の凹設部２２３の外周面２２３ｃよりも、距離Ｆだけトイレ装置の中央部側に配置されている。
【００５０】
これによれば、小水が、シャッター２３０の周囲から開口部２２３ｂ側へ進入することを防止することができる。そのため、シャッター２３０を軸支する軸２２８への尿の付着を抑制することができる。また、洗浄ノズル２４１への尿の付着を抑制することができる。そのため、洗浄ノズルの清潔性を確保することができる。
【００５１】
また、シャッター２３０と便器１００とが干渉することを抑制することができる。そのため、シャッター２３０が便器１００に干渉することで、凹設部２２３の開口部２２３ｂを閉じることができないなどの不具合を抑制することができる。また、シャッター２３０が開閉するたびに、シャッター２３０と便器１００とが干渉して不快な音（衝突音）が発生することを抑制することができる。
【００５２】
なお、ケースプレート２２０の凹設部２２３と、便器１００の凹部１０３と、の間には弾性体１０７が設けられている。そのため、突出壁２３１の外周面２３１ａが、凹設部２２３の外周面２２３ｃよりもトイレ装置の中央部側に配置されていても、ケースプレート２２０の凹設部２２３と、便器１００の凹部１０３と、の間に小水が進入することを抑制することができる。
【００５３】
以上説明したように、本実施形態によれば、シャッター２３０は、閉じた状態において、延設部２１７の下方に配設され、その延設部２１７により上方を覆われている。言い換えれば、シャッター２３０は、延設部２１７の前面２１７ａよりも後退した位置に設けられている。また、ケースプレート２２０の軸受部２２７と、軸受部２２７に保持された軸２２８と、シャッター２３０に設けられた軸支部２３７と、は、延設部２１７の真下に配設されている。そのため、軸受部２２７と軸２２８と軸支部２３７とには、使用者が排尿した小水はかかりにくい。これにより、本実施形態にかかるトイレ装置は、シャッター２３０を軸支する軸２２８への尿の付着を抑制できるため、異臭の発生や、尿石の発生を抑制できる。そのため、本実施形態にかかるトイレ装置は、シャッター２３０が尿石により開閉不能になるなどの不具合を抑制できる。
【００５４】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、便器１００やケーシング２００などが備える各要素の形状、寸法、材質、配置などやシャッター２３０の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【図面の簡単な説明】
【００５５】
【図１】本発明の実施の形態にかかるトイレ装置を表した斜視模式図である。
【図２】本実施形態のシャッター近傍を拡大して眺めた断面模式図である。
【図３】本実施形態の便器を表す斜視模式図である。
【図４】シャッターとケースプレートとの取付構造を表す斜視模式図である。
【図５】本実施形態のシャッター近傍を拡大して眺めた断面模式図である。
【図６】本実施形態にかかるトイレ装置を側方から眺めた断面模式図である。
【図７】本実施形態のシャッター近傍を拡大して眺めた斜視模式図である。
【図８】本実施形態のシャッター近傍を前方から眺めた平面模式図である。
【図９】本実施形態のシャッター近傍を上方から眺めた平面模式図である。
【図１０】本実施形態のシャッターの突出壁を拡大して眺めた断面模式図である。
【符号の説明】
【００５６】
１００ 便器、  １０１ ボウル、  １０１ａ ボウル内壁面、  １０３ 凹部、  １０３ａ 後端部、  １０３ｂ 連通部（前端部）、  １０３ｃ 凹段部、  １０５ ボウル上面、  １０７ 弾性体、  ２００ ケーシング、  ２１０ ケースカバー、  ２１１ 軸支部、  ２１３ 軸支部、  ２１５ 着座センサ、  ２１７ 延設部、  ２１７ａ 前面、  ２２０ ケースプレート、  ２２３ 凹設部、  ２２３ｂ 開口部、  ２２３ｃ 外周面、  ２２６ 爪部、  ２２７ 軸受部、  ２２８ 軸、  ２２９ 付勢部材、  ２２９ａ 腕部、  ２３０ シャッター、  ２３１ 突出壁、  ２３１ａ 外周面、  ２３３ 鉛直面、  ２３５ 傾斜面、  ２３７ 軸支部、  ２３９ 突起部、  ２４０ ノズルユニット、  ２４１ 洗浄ノズル、  ２４３ 吐水口、  ２４５ ノズル洗浄室
【図１】
2010116730.tif 000003
【図２】
2010116730.tif 000004
【図３】
2010116730.tif 000005
【図４】
2010116730.tif 000006
【図５】
2010116730.tif 000007
【図６】
2010116730.tif 000008
【図７】
2010116730.tif 000009
【図８】
2010116730.tif 000010
【図９】
2010116730.tif 000011
【図１０】
2010116730.tif 000012